(57)【要約】【課題】光学ユニットにおいて、装着対象を制限しつつ、装着された光学ユニットを適確に識別可能とすること。【解決手段】複数の電気接点２２ａが形成されたマウント部２２を有する第１の光学ユニット２０、第１の光学ユニットに装着されたときにマウント部における電気接点と接触する複数の電気接点３１ｃを備えたマウント受け部３１を有する第２の光学ユニット３０を含み、第１の光学ユニットは、第１の電気的状態または磁気的状態を有し、マウント部側の端部から突出した識別部材２３を備え、第２の光学ユニットは、マウント受け部側の端部に形成され、識別部材が進入する識別部材受け入れ部３２、識別部材受け入れ部の内部に設置され、進入した識別部材と接続する識別用接点３２ａ、マウント受け部における複数の電気接点の電位と識別用接点の電気的または磁気的な接続状態とに基づいて、第１の光学ユニットを識別する識別部３３を備える。【選択図】図１
2014164155.tif 000002
【特許請求の範囲】
【請求項１】
複数の電気接点が形成されたマウント部を有する第１の光学ユニットと、
前記第１の光学ユニットに装着されたときに、前記マウント部における前記複数の電気接点と接触する複数の電気接点を備えたマウント受け部を有する第２の光学ユニットと、を含み、
前記第１の光学ユニットは、
第１の電気的状態または磁気的状態を有し、前記マウント部側の端部から突出した識別部材を備え、
前記第２の光学ユニットは、
前記マウント受け部側の端部に形成され、前記識別部材が進入する識別部材受け入れ部と、
前記識別部材受け入れ部の内部に設置され、進入した前記識別部材と接続する識別用接点と、
前記マウント受け部における前記複数の電気接点の電位と、前記識別用接点の電気的または磁気的な接続状態とに基づいて、前記第１の光学ユニットを識別する識別部と、
を備えることを特徴とする光学ユニット識別システム。
【請求項２】
請求項１に記載の光学ユニット識別システムであって、
前記第２の光学ユニットには、複数種類の前記第１の光学ユニットを装着可能であり、
前記第１の光学ユニットの前記識別部材は、前記第１の光学ユニットの種類に固有の異なる形状を有し、
前記第２の光学ユニットの前記識別部材受け入れ部には、前記異なる形状を有する前記識別部材それぞれに応じて異なる接続状態となる位置に、複数の前記識別用接点が設置されていることを特徴とする光学ユニット識別システム。
【請求項３】
請求項２に記載の光学ユニット識別システムであって、
前記第１の光学ユニットの前記識別部材は、前記第１の光学ユニットの種類に応じて異なる長さに構成され、
前記第２の光学ユニットの前記識別部材受け入れ部には、開口部からの距離が異なる位置に、複数の前記識別用接点が設置されていることを特徴とする光学ユニット識別システム。
【請求項４】
請求項２に記載の光学ユニット識別システムであって、
前記第１の光学ユニットの前記識別部材は、前記第２の光学ユニットの前記識別部材受け入れ部に進入する方向に形成された第１の部分と前記第１の部分から屈折する方向に形成された第２の部分とを有し、
前記第２の光学ユニットの前記識別部材受け入れ部には、進入した前記識別部材の前記第２の部分に対応する位置に前記識別用接点が設置されていることを特徴とする光学ユニット識別システム。
【請求項５】
請求項２に記載の光学ユニット識別システムであって、
前記第１の光学ユニットの前記識別部材は、前記第２の光学ユニットの前記識別部材受け入れ部内において、設置されている前記識別用接点を迂回して延伸し、他の前記識別用接点に接続する構成を有することを特徴とする光学ユニット識別システム。
【請求項６】
請求項１から５のいずれか１項に記載の光学ユニット識別システムによって識別される光学ユニットを備えた撮像装置。
【請求項７】
複数の電気接点が形成されたマウント部を有する他の光学ユニットに装着されたときに、前記マウント部における前記複数の電気接点と接触する複数の電気接点を備えたマウント受け部を有する光学ユニットであって、
前記マウント受け部側の端部に形成され、前記他の光学ユニットにおける前記マウント部側の端部から突出した、第１の電気的状態または磁気的状態を有する識別部材が進入する識別部材受け入れ部と、
前記識別部材受け入れ部の内部に設置され、進入した前記識別部材と接続する識別用接点と、
前記マウント受け部における前記複数の電気接点の電位と、前記識別用接点の電気的または磁気的な接続状態とに基づいて、前記他の光学ユニットを識別する識別部と、
を備えることを特徴とする光学ユニット。
【請求項８】
複数の電気接点が形成されたマウント部を有する光学ユニットであって、
第１の電気的状態または磁気的状態を有し、前記マウント部側の端部から突出した識別部材を備え、
前記識別部材は、
前記光学ユニットに装着されたときに、前記マウント部における前記複数の電気接点と接触する複数の電気接点を備えたマウント受け部を有する他の光学ユニットにおける、前記マウント受け部側の端部に形成された識別部材受け入れ部に進入し、
前記識別部材受け入れ部の内部に設置された識別用接点と接続し、
接続した前記識別用接点の接続状態を前記第１の電気的状態または磁気的状態に応じて変化させることを特徴とする光学ユニット。
【発明の詳細な説明】
【技術分野】
【０００１】
本発明は、光学ユニット識別システム、撮像装置及び光学ユニットに関する。
【背景技術】
【０００２】
従来、一眼レフカメラのための光学ユニットとして、カメラボディと交換用レンズとの間に装着することで、交換用レンズの焦点距離を拡大するものが知られており、一般に、テレコンバータやエクステンダ等と称されている。
このようなテレコンバータ等の光学ユニットは、光学特性上、全ての交換用レンズに装着することはできないため、交換用レンズと連結するマウント部の構造を互いに対応した形状とすることによって、装着可能な光学ユニットを制限している。
なお、このような技術は、例えば、特許文献１に開示されている。
ここで、既存の光学ユニットを装着可能な特定の交換用レンズに対して、当該交換レンズ専用に、新たな光学ユニット（例えば特定倍率を有する新たなテレコンバータ等）を装着可能とする場合、マウント部の構造に互換性を持たせた上で、交換用レンズが新たな光学ユニットを識別する必要がある。
【先行技術文献】
【特許文献】
【０００３】
【特許文献１】特開２００７−０２５３５０号公報
【発明の概要】
【発明が解決しようとする課題】
【０００４】
しかしながら、交換用レンズのマウント部は、既存の光学ユニットの装着を制限するために形成された形状及び電気的な接点等のために、スペースに余裕がないのが実態である。
そのため、当該交換用レンズ専用の新たな光学ユニットのみを装着可能とする形状や、識別のための電気的な接点をマウント部に新たに形成することは困難である。
このように、従来、装着対象を制限しつつ、装着された光学ユニットが適確に識別可能となる光学ユニットを実現することは困難であった。
本発明の課題は、光学ユニットにおいて、装着対象を制限しつつ、装着された光学ユニットを適確に識別可能とすることである。
【課題を解決するための手段】
【０００５】
本発明は、以下のような解決手段により前記課題を解決する。
【０００６】
請求項１に記載の発明は、複数の電気接点が形成されたマウント部を有する第１の光学ユニットと、前記第１の光学ユニットに装着されたときに、前記マウント部における前記複数の電気接点と接触する複数の電気接点を備えたマウント受け部を有する第２の光学ユニットと、を含み、前記第１の光学ユニットは、第１の電気的状態または磁気的状態を有し、前記マウント部側の端部から突出した導電性の識別部材を備え、前記第２の光学ユニットは、前記マウント受け部側の端部に形成され、前記識別部材が進入する識別部材受け入れ部と、前記識別部材受け入れ部の内部に設置され、進入した前記識別部材と接続する識別用接点と、前記マウント受け部における前記複数の電気接点の電位と、前記識別用接点の電気的または磁気的な接続状態とに基づいて、前記第１の光学ユニットを識別する識別部と、を備えることを特徴とする光学ユニット識別システムである。
請求項２に記載の発明は、請求項１に記載の光学ユニット識別システムであって、前記第２の光学ユニットには、複数種類の前記第１の光学ユニットを装着可能であり、前記第１の光学ユニットの前記識別部材は、前記第１の光学ユニットの種類に固有の異なる形状を有し、前記第２の光学ユニットの前記識別部材受け入れ部には、前記異なる形状を有する前記識別部材それぞれに応じて異なる接続状態となる位置に、複数の前記識別用接点が設置されていることを特徴とする光学ユニット識別システムである。
請求項３に記載の発明は、請求項２に記載の光学ユニット識別システムであって、前記第１の光学ユニットの前記識別部材は、前記第１の光学ユニットの種類に応じて異なる長さに構成され、前記第２の光学ユニットの前記識別部材受け入れ部には、開口部からの距離が異なる位置に、複数の前記識別用接点が設置されていることを特徴とする光学ユニット識別システムである。
請求項４に記載の発明は、請求項２に記載の光学ユニット識別システムであって、前記第１の光学ユニットの前記識別部材は、前記第２の光学ユニットの前記識別部材受け入れ部に進入する方向に形成された第１の部分と前記第１の部分から屈折する方向に形成された第２の部分とを有し、前記第２の光学ユニットの前記識別部材受け入れ部には、進入した前記識別部材の前記第２の部分に対応する位置に前記識別用接点が設置されていることを特徴とする光学ユニット識別システムである。
請求項５に記載の発明は、請求項２に記載の光学ユニット識別システムであって、前記第１の光学ユニットの前記識別部材は、前記第２の光学ユニットの前記識別部材受け入れ部内において、設置されている前記識別用接点を迂回して延伸し、他の前記識別用接点に接続する構成を有することを特徴とする光学ユニット識別システムである。
請求項６に記載の発明は、請求項１から５のいずれか１項に記載の光学ユニット識別システムによって識別される光学ユニットを備えた撮像装置である。
請求項７に記載の発明は、複数の電気接点が形成されたマウント部を有する他の光学ユニットに装着されたときに、前記マウント部における前記複数の電気接点と接触する複数の電気接点を備えたマウント受け部を有する光学ユニットであって、前記マウント受け部側の端部に形成され、前記他の光学ユニットにおける前記マウント部側の端部から突出した、第１の電気的状態または磁気的状態を有する識別部材が進入する識別部材受け入れ部と、前記識別部材受け入れ部の内部に設置され、進入した前記識別部材と接続する識別用接点と、前記マウント受け部における前記複数の電気接点の電位と、前記識別用接点の電気的または磁気的な接続状態とに基づいて、前記他の光学ユニットを識別する識別部と、を備えることを特徴とする光学ユニットである。
請求項８に記載の発明は、複数の電気接点が形成されたマウント部を有する光学ユニットであって、第１の電気的状態または磁気的状態を有し、前記マウント部側の端部から突出した識別部材を備え、前記識別部材は、前記光学ユニットに装着されたときに、前記マウント部における前記複数の電気接点と接触する複数の電気接点を備えたマウント受け部を有する他の光学ユニットにおける、前記マウント受け部側の端部に形成された識別部材受け入れ部に進入し、前記識別部材受け入れ部の内部に設置された識別用接点と接続し、接続した前記識別用接点の接続状態を前記第１の電気的状態または磁気的状態に応じて変化させることを特徴とする光学ユニットである。
【発明の効果】
【０００７】
本発明によれば、光学ユニットにおいて、装着対象を制限しつつ、装着された光学ユニットを適確に識別可能となる。
【図面の簡単な説明】
【０００８】
【図１】本発明に係る光学ユニット識別システム１を適用した第１実施形態のカメラ２を示す模式図である。
【図２】テレコンバータ２０の構成を示す図である。
【図３】レンズ鏡筒３０のマウント部３１の構成を示す図である。
【図４】信号入出力ポートＰ１〜Ｐ３に入力される信号の電位と、識別されるテレコンバータ２０の種類との関係を示す図である。
【図５】カメラ本体１０にレンズ鏡筒３０が直接装着された状態を示す図である。
【図６】カメラ本体１０にテレコンバータ識別キー２３を備えていないテレコンバータ２０を挟んでレンズ鏡筒３０が装着された状態を示す図である。
【図７】カメラ本体１０にテレコンバータ識別キー２３を備えたテレコンバータ２０を挟んでレンズ鏡筒３０が装着された状態を示す図である。
【図８】本発明に係る光学ユニット識別システム１を適用した第２実施形態のカメラ２を示す模式図である。
【図９】信号入出力ポートＰ１〜Ｐ４に入力される信号の電位と、識別されるテレコンバータ１２０の種類との関係を示す図である。
【図１０】カメラ本体１０にレンズ鏡筒１３０が直接装着された状態を示す図である。
【図１１】カメラ本体１０にテレコンバータ識別キー１２３を備えていないテレコンバータ１２０を挟んでレンズ鏡筒１３０が装着された状態を示す図である。
【図１２】カメラ本体１０に長い形状のテレコンバータ識別キー１２３を備えたテレコンバータ１２０を挟んでレンズ鏡筒１３０が装着された状態を示す図である。
【図１３】カメラ本体１０に短い形状のテレコンバータ識別キー１２３を備えたテレコンバータ１２０を挟んでレンズ鏡筒１３０が装着された状態を示す図である。
【図１４】テレコンバータ識別キー１２３の形状及び電気接点の設置態様の具体例を示す図である。
【図１５】テレコンバータ識別キー２３，１２３と磁気センサとによって構成される磁気的な接点を示す模式図である。
【発明を実施するための形態】
【０００９】
以下、図面等を参照して、本発明の実施形態について説明する。
（第１実施形態）
（構成）
図１は、本発明に係る光学ユニット識別システム１を適用した第１実施形態のカメラ２を示す模式図である。
カメラ２は、レンズ交換可能なカメラ（例えば、デジタル一眼レフカメラやフィルム一眼レフカメラ等）として構成することができる。
【００１０】
カメラ２は、カメラ本体１０と、テレコンバータ２０と、レンズ鏡筒３０と、を備えている。これらカメラ本体１０、テレコンバータ２０及びレンズ鏡筒３０は、光学ユニットの一例を構成している。
カメラ本体１０は、テレコンバータ２０あるいはレンズ鏡筒３０を装着するバヨネット式のマウント部１１を有している。カメラ本体１０のマウント部１１は、テレコンバータ２０のマウント部２１あるいはレンズ鏡筒３０のマウント部２１と対応する形状を有している。カメラ本体１０のマウント部１１には、テレコンバータ２０のマウント部２１あるいはレンズ鏡筒３０のマウント部２１に形成されたバヨネット爪を受け入れる嵌め込み部が形成されており、この嵌め込み部にマウント部２１あるいはレンズ鏡筒３０のバヨネット爪を嵌め込んだ後、マウント部２１あるいはレンズ鏡筒３０を光軸ＯＡの周りに回転させることによって、カメラ本体１０にマウント部２１あるいはレンズ鏡筒３０を結合（装着）することができる。
【００１１】
カメラ本体１０のマウント部１１における嵌め込み部は、テレコンバータ２０のマウント部２１あるいはレンズ鏡筒３０のマウント部３１に形成されたバヨネット爪と対応する位置に形成されている。また、カメラ本体１０のマウント部１１には突起部１１Ｐが形成され、この突起部１１Ｐは、テレコンバータ２０のマウント部２１あるいはレンズ鏡筒３０のマウント部３１に形成された切欠部２１Ｑ，３１Ｑと対応する位置に形成されている。そのため、カメラ本体１０に装着可能なテレコンバータ２０あるいはレンズ鏡筒３０は、マウント部の形状が対応するものに制限される。
【００１２】
また、カメラ本体１０は、マウント部１１に、複数の電気接点１２を備えており、この電気接点１２を介して、カメラ本体１０側のマイコン１３とレンズ鏡筒３０側のマイコン３３とが電気信号や電力の授受を行う。これら電気接点１２のうちの一部（例えば２つ）からは、カメラ本体１０であることを識別する信号（ここでは全てローレベルであるものとする）が出力される。
なお、本実施形態では、カメラ本体１０及びレンズ鏡筒３０のみにマイコンが備えられているものとして説明するが、テレコンバータ２０にマイコンを備えることも可能である。この場合、複数の電気接点１２を介して、テレコンバータ２０のマイコンとカメラ本体１０のマイコンとが電気信号や電力の授受を行う。
【００１３】
次に、テレコンバータ２０の構成について説明する。
図２は、テレコンバータ２０の構成を示す図であり、図２（ａ）は正面図、図２（ｂ）は斜視図である。なお、図２（ｂ）においては、後述するテレコンバータ識別キー２３を分離した状態を示している。
なお、本実施形態においては、カメラ本体１０とレンズ鏡筒３０との間に装着される光学ユニットとして、テレコンバータ２０を例に挙げて説明するが、レンズアダプター等の他の光学部材とすることも可能である。
【００１４】
テレコンバータ２０は、カメラ本体１０とレンズ鏡筒３０との間に装着され、レンズ鏡筒３０の焦点距離を拡大する光学部材を備えている。
また、テレコンバータ２０は、カメラ本体１０と連結される側の端部に、マウント部２１を備えている。マウント部２１は、カメラ本体１０のマウント部１１と対応する形状を有しており、カメラ本体１０のマウント部１１に形成された嵌め込み部に嵌め込まれるバヨネット爪を有している。さらに、マウント部２１は、バヨネット結合したカメラ本体１０のマウント部１１における電気接点１２それぞれと対応する位置に、複数の電気接点２１ａを備えており、この電気接点２１ａを介して、カメラ本体１０側のマイコン１３と電気信号や電力の授受を行う。
【００１５】
また、テレコンバータ２０は、マウント部２１と逆側の端部にマウント部２２を備えている。マウント部２２は、レンズ鏡筒３０のマウント部３１と対応する形状を有しており、レンズ鏡筒３０のマウント部３１に形成されたバヨネット爪を受け入れる嵌め込み部が形成されている。また、テレコンバータ２０のマウント部２２には突起部２２Ｐが形成され、この突起部２２Ｐは、レンズ鏡筒３０のマウント部３１に形成された切欠部３１Ｑと対応する位置に形成されている。そのため、テレコンバータ２０を装着可能なレンズ鏡筒３０は、マウント部の形状が対応するものに制限される。
【００１６】
さらに、マウント部２２は、バヨネット結合したレンズ鏡筒３０のマウント部３１における電気接点３１ｃそれぞれと対応する位置に、複数の電気接点２２ａを備えており、この電気接点２２ａを介して、レンズ鏡筒３０のマイコン３３と電気信号や電力の授受を行う。
これら電気接点２２ａのうちの一部（例えば２つ）からは、テレコンバータ２０の種類を識別する信号（ハイレベルやローレベルの信号の固有の組み合わせ）が出力される。
【００１７】
また、テレコンバータ２０は、マウント部２２を備える端部に、バヨネット結合時にレンズ鏡筒３０の識別キー穴３２に進入するテレコンバータ識別キー２３を備えている。本実施形態において、テレコンバータ識別キー２３は、導電性材料（例えば金属）からなる平板状部材で構成されており、テレコンバータ２０がレンズ鏡筒３０にバヨネット結合された場合、レンズ鏡筒３０の識別キー穴３２内部に設置された電気接点３２ａと接触する。このテレコンバータ識別キー２３は、電位をローレベル（接地状態）に維持されている。したがって、テレコンバータ２０がレンズ鏡筒３０にバヨネット結合され、レンズ鏡筒３０の識別キー穴３２内部に設置された電気接点３２ａと接触すると、電気接点３２ａの電位はローレベルとなる。
【００１８】
ここで、テレコンバータ２０は、その種類によって、テレコンバータ識別キー２３を備えているものと備えていないものとが存在する。
そのため、テレコンバータ識別キー２３を備えていないテレコンバータ２０がレンズ鏡筒３０にバヨネット結合された場合、電気接点３２ａの電位はハイレベルに維持される。
【００１９】
レンズ鏡筒３０は、カメラ本体１０に対して交換可能なレンズ鏡筒として構成され、対物側と逆側の端部に、カメラ本体１０のマウント部１１あるいはテレコンバータ２０のマウント部２２と連結されるマウント部３１を備えている。
図３は、レンズ鏡筒３０のマウント部３１の構成を示す図であり、図３（ａ）は正面図、図３（ｂ）は分解斜視図である。
【００２０】
図３において、マウント部３１は、フランジ部３１ａと円筒部３１ｂとを有するマウント部材３１Ａと、反射防止部材３１Ｂとを備えている。
マウント部材３１Ａのフランジ部３１ａは、レンズ鏡筒３０の対物側と逆側の端部にねじ止めによって固定される。マウント部材３１Ａが設置されるレンズ鏡筒３０の端部には、レンズ鏡筒３０がテレコンバータ２０とバヨネット結合された場合に、テレコンバータ識別キー２３が進入する識別キー穴３２が形成されている。なお、識別キー穴３２は、マウント部材３１Ａが配置されていない領域を通じて、外部に開口している。
【００２１】
マウント部材３１Ａの円筒部３１ｂは、フランジ部３１ａから突出する円筒状の部分であり、外周面にバヨネット爪が複数形成されている。また、円筒部３１ｂの外周面の一部は、他の部分より円筒部３１ｂの長さ方向（フランジ部３１ａから突出する方向）に拡大されており、この拡大部分の外周面に、複数の電気接点３１ｃを備えている。
反射防止部材３１Ｂは、円筒部３１ｂの内周面を覆う内筒部材であり、反射防止部材３１Ｂの内周面には反射防止性の塗装が施されている。また、反射防止部材３１Ｂの一端側（レンズ鏡筒３０の対物側と逆側）には、外周面より径が拡大したストッパーが形成されている。このストッパーは、周方向に部分的に形成されており、具体的には、円筒部３１ｂ内に反射防止部材３１Ｂが設置された際に電気接点３１ｃが位置する部分と識別キー穴３２の開口部が位置する部分とを除いて形成されている。
【００２２】
さらに、反射防止部材３１Ｂの外周面の半径は、円筒部３１ｂの内周面の半径より一定長（例えば数ｍｍ程度）小さく構成されており、反射防止部材３１Ｂが円筒部３１ｂ内に同軸となるように設置されることにより、反射防止部材３１Ｂの外周面と円筒部３１ｂの内周面との間には、一定長の間隔が形成される。
したがって、反射防止部材３１Ｂが同軸となるように円筒部３１ｂに設置された場合、レンズ鏡筒３０のマウント部３１は、正面視において、ストッパーが形成されていない部分、及び、反射防止部材３１Ｂの外周面とマウント部材３１Ａの内周面との間に形成された空間を通じて、識別キー穴３２が覗く構成となっている。なお、識別キー穴３２は、マウント部材３１Ａのバヨネット爪と、テレコンバータ２０の嵌め込み部との位置関係に対応して、バヨネット結合時に、テレコンバータ２０のテレコンバータ識別キー２３が進入する位置に設置され、レンズ鏡筒３０とテレコンバータ２０との相対回転に応じて、テレコンバータ識別キー２３が識別キー穴３２内で変位する形状を有している。
【００２３】
図１に戻り、レンズ鏡筒３０は、さらに、レンズ鏡筒３０を制御するマイコン３３と、電気接点３２ａのハイレベル側の電位（Ｖｄ）を設定するためのプルアップ抵抗３４とを備えている。
マイコン３３は、電気接点３１ｃを介して、カメラ本体１０側のマイコン１３と電気信号の授受を行う。例えば、マイコン３３は、カメラ本体１０側のマイコン１３から入力される指示信号に応じて、レンズ鏡筒３０に備えられたＡＦレンズ駆動用のモータ等を制御する。
また、マイコン３３は、複数の信号入出力ポートを備えており、一部の信号入出力ポート（ここでは、信号入出力ポートＰ１，Ｐ２の２つとする）は、電気接点３１ｃと接続され、他の一部の信号入出力ポート（ここでは、信号入出力ポートＰ３の１つとする）は、電気接点３２ａと接続されている。
【００２４】
マイコン３３は、これら信号入出力ポートＰ１〜Ｐ３に入力される信号の電位（ハイレベルまたはローレベル）の組み合わせによって、レンズ鏡筒３０に連結されたテレコンバータ２０の種類（具体的には、焦点距離の拡大率の大きさ）を識別する。
図４は、信号入出力ポートＰ１〜Ｐ３に入力される信号の電位と、識別されるテレコンバータ２０の種類との関係を示す図である。
図４に示す関係は、テーブル形式のデータ（以下、「テレコンバータ識別テーブル」と称する。）として、マイコン３３に内蔵されたＲＯＭに記憶されている。
【００２５】
図４に示すように、信号入出力ポートＰ１〜Ｐ３に入力される信号の電位の組み合わせとして、８パターンが識別可能である。
具体的には、信号入出力ポートＰ３に入力される信号がハイレベルの場合（即ち、テレコンバータ識別キー２３が電気接点３２ａと接続されていない場合）、信号入出力ポートＰ１，Ｐ２に入力される信号のハイレベルまたはローレベルの組み合わせによって、４パターンのテレコンバータ２０（焦点距離の拡大率Ｅ１〜Ｅ４倍）が識別される。
【００２６】
また、これら信号入出力ポートＰ１，Ｐ２に入力される信号のハイレベルまたはローレベルの組み合わせが同様であるとき、信号入出力ポートＰ３に入力される信号がローレベルの場合（即ち、テレコンバータ識別キー２３が電気接点３２ａと接続されている場合）、異なる４パターンのテレコンバータ２０（焦点距離の拡大率Ｅ５〜Ｅ８）が識別される。
即ち、テレコンバータ識別キー２３と識別キー穴３２内の電気接点３２ａとの接続の有無に応じて、信号入出力ポートＰ１，Ｐ２のみによって識別可能な数の２倍の種類のテレコンバータ２０を識別することができる。
【００２７】
（動作）
次に、動作を説明する。
図５〜７は、カメラ本体１０に各種光学ユニットが装着された状態を示す図であり、図５はカメラ本体１０にレンズ鏡筒３０が直接装着された状態、図６はカメラ本体１０にテレコンバータ識別キー２３を備えていないテレコンバータ２０を挟んでレンズ鏡筒３０が装着された状態、図７はカメラ本体１０にテレコンバータ識別キー２３を備えたテレコンバータ２０を挟んでレンズ鏡筒３０が装着された状態を示している。
図５に示すように、カメラ本体１０にレンズ鏡筒３０が直接装着される場合、カメラ本体１０の電気接点１２とレンズ鏡筒３０の電気接点３１ｃとが接続され、マイコン３３の信号入出力ポートＰ１，Ｐ２にカメラ本体１０を識別する信号（共にローレベルの信号）が入力される。
【００２８】
一方、カメラ本体１０にはテレコンバータ識別キー２３が備えられていないため、電気接点３２ａはハイレベルのままとなる。
すると、レンズ鏡筒３０のマイコン３３は、ＲＯＭに記憶されているテレコンバータ識別テーブルを参照し、信号入出力ポートＰ１〜Ｐ３に入力される信号の電位の組み合わせ（Ｐ１，Ｐ２：ローレベル、Ｐ３：ハイレベル）に対応するテレコンバータ２０の種類（テレコンバータ２０の装着がない場合の焦点距離の拡大率Ｅ１（＝１．０倍））を読み出す。
【００２９】
そして、マイコン３３は、カメラ本体１０側のマイコン１３にテレコンバータ２０が装着されていない場合の焦点距離の拡大率Ｅ１を示す信号を出力する。
この後、カメラ本体１０側のマイコン１３において、拡大率Ｅ１に対応するレンズ鏡筒３０の制御信号が生成され、レンズ鏡筒３０のマイコン３３は、この制御信号を受けて、レンズ鏡筒３０の制御を行う。
また、図６に示すように、カメラ本体１０に、テレコンバータ識別キー２３を備えていないテレコンバータ２０を挟んでレンズ鏡筒３０が装着される場合、カメラ本体１０の電気接点１２とテレコンバータ２０の電気接点２１ａとが接続され、テレコンバータ２０の電気接点２２ａとレンズ鏡筒３０の電気接点３１ｃとが接続される。
【００３０】
なお、テレコンバータ２０はテレコンバータ識別キー２３を備えていないため、テレコンバータ識別キー２３とレンズ鏡筒３０の識別キー穴３２内の電気接点３２ａとは接続されない。
これにより、マイコン３３の信号入出力ポートＰ１〜Ｐ３にテレコンバータ２０を識別する信号（ハイレベルまたはローレベルの信号）が入力される。具体的には、信号入出力ポートＰ３にはハイレベルの信号が入力され、信号入出力ポートＰ１，Ｐ２にはハイレベルまたはローレベルの信号が入力される。
すると、レンズ鏡筒３０のマイコン３３は、ＲＯＭに記憶されているテレコンバータ識別テーブルを参照し、信号入出力ポートＰ１〜Ｐ３に入力される信号の電位の組み合わせに対応するテレコンバータ２０の種類（焦点距離の拡大率Ｅ２〜Ｅ４のいずれか）を読み出す。
【００３１】
そして、マイコン３３は、カメラ本体１０側のマイコン１３に焦点距離の拡大率Ｅ２〜Ｅ４のいずれかを示す信号を出力する。
この後、カメラ本体１０側のマイコン１３において、拡大率Ｅ２〜Ｅ４のいずれかに対応するレンズ鏡筒３０の制御信号が生成され、レンズ鏡筒３０のマイコン３３は、この制御信号を受けて、レンズ鏡筒３０の制御を行う。
さらに、図７に示すように、カメラ本体１０に、テレコンバータ識別キー２３を備えたテレコンバータ２０を挟んでレンズ鏡筒３０が装着される場合、カメラ本体１０の電気接点１２とテレコンバータ２０の電気接点２１ａとが接続され、テレコンバータ２０の電気接点２２ａとレンズ鏡筒３０の電気接点３１ｃとが接続される。
【００３２】
また、テレコンバータ２０はテレコンバータ識別キー２３を備えているため、テレコンバータ識別キー２３とレンズ鏡筒３０の識別キー穴３２内の電気接点３２ａとが接続される。
これにより、マイコン３３の信号入出力ポートＰ１〜Ｐ３にテレコンバータ２０を識別する信号（ハイレベルまたはローレベルの信号）が入力される。具体的には、信号入出力ポートＰ３にはローレベルの信号が入力され、信号入出力ポートＰ１，Ｐ２にはハイレベルまたはローレベルの信号が入力される。
【００３３】
すると、レンズ鏡筒３０のマイコン３３は、ＲＯＭに記憶されているテレコンバータ識別テーブルを参照し、信号入出力ポートＰ１〜Ｐ３に入力される信号の電位の組み合わせに対応するテレコンバータ２０の種類（焦点距離の拡大率Ｅ５〜Ｅ８のいずれか）を読み出す。
そして、マイコン３３は、カメラ本体１０側のマイコン１３に焦点距離の拡大率Ｅ５〜Ｅ８のいずれかを示す信号を出力する。
この後、カメラ本体１０側のマイコン１３において、拡大率Ｅ５〜Ｅ８のいずれかに対応するレンズ鏡筒３０の制御信号が生成され、レンズ鏡筒３０のマイコン３３は、この制御信号を受けて、レンズ鏡筒３０の制御を行う。
【００３４】
以上のように、本実施形態における光学ユニット識別システム１を適用したカメラ２は、レンズ鏡筒３０のマウント部３１をカメラ本体１０のマウント部１１あるいはテレコンバータ２０のマウント部２２と対応する形状とされている。また、レンズ鏡筒３０のマウント部３１における電気接点３１ｃと、カメラ本体１０のマウント部１１における電気接点１２あるいはテレコンバータ２０のマウント部２２における電気接点２２ａとが接続される。さらに、テレコンバータ２０のマウント部２２にテレコンバータ識別キー２３が備えられている場合、レンズ鏡筒３０のマウント部３１における電気接点３２ａと、テレコンバータ２０のマウント部２２におけるテレコンバータ識別キー２３とが接続される。
【００３５】
そして、レンズ鏡筒３０のマイコン３３は、電気接点３１ｃ及び電気接点３２ａを介して信号入出力ポートＰ１〜Ｐ３に入力される信号の電位の組み合わせを基に、テレコンバータ識別テーブルを参照し、レンズ鏡筒３０に装着されているテレコンバータ２０の種類（あるいはカメラ本体１０）を識別する。
そのため、レンズ鏡筒３０の電気接点３１ｃによるテレコンバータ２０あるいはカメラ本体１０の識別可能数に対して、テレコンバータ識別キー２３と電気接点３２ａとの接続により、２倍の識別可能数に拡大することができる。
【００３６】
即ち、特定のマウント部の形状を有するレンズ鏡筒３０に識別キー穴３２及び電気接点３２ａを備え、当該特定のマウント部に装着可能なテレコンバータ２０のラインナップにテレコンバータ識別キー２３を備える型式を追加することで、マウント部の形状及びマウント部に備えられる電気接点の構成を共通としながら、新たな種類のテレコンバータを追加することが可能となる。
したがって、光学ユニットにおいて、装着対象を制限しつつ、装着された光学ユニットを適確に識別可能とすることができる。
【００３７】
以上、本実施形態によると、以下の効果を有する。
（１）レンズ鏡筒３０のマウント部３１がテレコンバータ２０のマウント部２２と対応する形状とされている。また、レンズ鏡筒３０のマウント部３１における電気接点３１ｃと、テレコンバータ２０のマウント部２２における電気接点２２ａとが接続される。さらに、レンズ鏡筒３０のマウント部３１における電気接点３２ａと、テレコンバータ２０のマウント部２２におけるテレコンバータ識別キー２３とが接続される。
そして、レンズ鏡筒３０のマイコン３３は、電気接点３１ｃ及び電気接点３２ａを介して信号入出力ポートＰ１〜Ｐ３に入力される信号の電位の組み合わせを基に、テレコンバータ識別テーブルを参照し、レンズ鏡筒３０に装着されているテレコンバータ２０の種類を識別する。
したがって、光学ユニットにおいて、装着対象を制限しつつ、装着された光学ユニットを適確に識別可能とできる。
【００３８】
（第２実施形態）
次に、本発明の第２実施形態について説明する。
本実施形態では、第１実施形態におけるカメラ２に対して、テレコンバータ２０及びレンズ鏡筒３０の構成が異なるため、主として、テレコンバータ及びレンズ鏡筒について説明する。
【００３９】
（構成）
図８は、本発明に係る光学ユニット識別システム１を適用した第２実施形態のカメラ２を示す模式図である。
カメラ２は、レンズ交換可能なカメラ（例えば、デジタル一眼レフカメラやフィルム一眼レフカメラ等）として構成することができる。
カメラ２は、カメラ本体１０と、テレコンバータ１２０と、レンズ鏡筒１３０と、を備えている。これらカメラ本体１０、テレコンバータ１２０及びレンズ鏡筒１３０は、光学ユニットの一例を構成している。
【００４０】
テレコンバータ１２０は、カメラ本体１０とレンズ鏡筒１３０との間に装着され、レンズ鏡筒１３０の焦点距離を拡大する光学部材を備えている。
また、テレコンバータ１２０は、カメラ本体１０と連結される側の端部に、マウント部１２１を備えている。マウント部１２１は、カメラ本体１０のマウント部１１と対応する形状を有しており、カメラ本体１０のマウント部１１に形成された嵌め込み部に嵌め込まれるバヨネット爪を有している。さらに、マウント部１２１は、バヨネット結合したカメラ本体１０のマウント部１１における電気接点１２それぞれと対応する位置に、複数の電気接点１２１ａを備えており、この電気接点１２１ａを介して、カメラ本体１０側のマイコン１３と電気信号や電力の授受を行う。
【００４１】
また、テレコンバータ１２０は、マウント部１２１と逆側の端部にマウント部１２２を備えている。マウント部１２２は、レンズ鏡筒１３０のマウント部１３１と対応する形状を有しており、レンズ鏡筒１３０のマウント部１３１に形成されたバヨネット爪を受け入れる嵌め込み部が形成されている。また、テレコンバータ１２０のマウント部１２２には突起部１２２Ｐが形成され、この突起部１２２Ｐは、レンズ鏡筒１３０のマウント部１３１に形成された切欠部１３１Ｑと対応する位置に形成されている。そのため、テレコンバータ１２０を装着可能なレンズ鏡筒１３０は、マウント部の形状が対応するものに制限される。
【００４２】
さらに、マウント部１２２は、バヨネット結合したレンズ鏡筒１３０のマウント部１３１における電気接点１３１ｃそれぞれと対応する位置に、複数の電気接点１２２ａを備えており、この電気接点１２２ａを介して、レンズ鏡筒１３０のマイコン１３３と電気信号や電力の授受を行う。
これら電気接点１２２ａのうちの一部（例えば２つ）からは、テレコンバータ１２０の種類を識別する信号（ハイレベルやローレベルの信号の固有の組み合わせ）が出力される。
【００４３】
また、テレコンバータ１２０は、マウント部１２２を備える端部に、バヨネット結合時にレンズ鏡筒１３０の識別キー穴１３２に進入するテレコンバータ識別キー１２３を備えている。本実施形態において、テレコンバータ識別キー１２３は、金属製の平板状部材で構成されており、テレコンバータ１２０の種類によって異なる長さ（ここでは長いものと短いものの２種類とする）に構成されている。そして、テレコンバータ１２０がレンズ鏡筒１３０にバヨネット結合された場合、テレコンバータ識別キー１２３は、レンズ鏡筒１３０の識別キー穴１３２内部に設置された電気接点１３２ａ，１３２ｂの一方または両方と接触する。このテレコンバータ識別キー１２３は、電位をローレベル（接地状態）に維持されている。したがって、テレコンバータ１２０がレンズ鏡筒１３０にバヨネット結合され、レンズ鏡筒１３０の識別キー穴１３２内部に設置された電気接点１３２ａ，１３２ｂと接触すると、電気接点１３２ａ，１３２ｂの電位はローレベルとなる。
【００４４】
ここで、テレコンバータ１２０は、その種類によって、テレコンバータ識別キー１２３を備えているものと備えていないものとが存在する。
そのため、テレコンバータ識別キー１２３を備えていないテレコンバータ１２０がレンズ鏡筒１３０にバヨネット結合された場合、電気接点１３２ａ，１３２ｂの電位はハイレベルに維持される。
【００４５】
レンズ鏡筒１３０は、カメラ本体１０に対して交換可能なレンズ鏡筒として構成され、対物側と逆側の端部に、カメラ本体１０のマウント部１１あるいはテレコンバータ１２０のマウント部１２２と連結されるマウント部１３１を備えている。
マウント部１３１の構成は、図３に示すマウント部３１の構成とほぼ同様である。ただし、識別キー穴１３２内部に電気接点１３２ａ，１３２ｂが備えられている点が異なっている。
【００４６】
電気接点１３２ａ，１３２ｂは、識別キー穴１３２内部において、開口部からの距離が異なる２箇所に設置されている。電気接点１３２ａ，１３２ｂが設置される開口部からの距離は、テレコンバータ識別キー１２３の長さに対応しており、電気接点１３２ａは開口部により近く、電気接点１３２ｂは開口部からより遠い位置に設置されている。
そのため、２種類のテレコンバータ識別キー１２３のうち、長いものを有するテレコンバータ１２０が装着された場合、テレコンバータ識別キー１２３は電気接点１３２ａ，１３２ｂの両方に接触するため、電気接点１３２ａ，１３２ｂの電位はローレベルとなる。一方、２種類のテレコンバータ識別キー１２３のうち、短いものを有するテレコンバータ１２０が装着された場合、テレコンバータ識別キー１２３は電気接点１３２ａのみに接触するため、電気接点１３２ａの電位はローレベル、電気接点１３２ｂの電位はハイレベルとなる。
【００４７】
レンズ鏡筒１３０は、さらに、レンズ鏡筒１３０を制御するマイコン１３３と、電気接点１３２ａのハイレベル側の電位（Ｖｄ）を設定するためのプルアップ抵抗１３４ａと、電気接点１３２ｂのハイレベル側の電位（Ｖｄ）を設定するためのプルアップ抵抗１３４ｂとを備えている。
マイコン１３３は、電気接点１３１ｃを介して、カメラ本体１０側のマイコン１３と電気信号の授受を行う。例えば、マイコン１３３は、カメラ本体１０側のマイコン１３から入力される指示信号に応じて、レンズ鏡筒１３０に備えられたＡＦレンズ駆動用のモータ等を制御する。
【００４８】
また、マイコン１３３は、複数の信号入出力ポートを備えており、一部の信号入出力ポート（ここでは、信号入出力ポートＰ１，Ｐ２の２つとする）は、電気接点１３１ｃと接続され、他の一部の信号入出力ポート（ここでは、信号入出力ポートＰ３，Ｐ４の２つとする）は、電気接点１３２ａ，１３２ｂと接続されている。
マイコン１３３は、これら信号入出力ポートＰ１〜Ｐ４に入力される信号の電位（ハイレベルまたはローレベル）の組み合わせによって、レンズ鏡筒１３０に連結されたテレコンバータ１２０の種類（具体的には、焦点距離の拡大率の大きさ）を識別する。
【００４９】
図９は、信号入出力ポートＰ１〜Ｐ４に入力される信号の電位と、識別されるテレコンバータ１２０の種類との関係を示す図である。
図９に示す関係は、テーブル形式のデータ（以下、「テレコンバータ識別テーブル」と称する。）として、マイコン１３３に内蔵されたＲＯＭに記憶されている。
図９に示すように、信号入出力ポートＰ１〜Ｐ４に入力される信号の電位の組み合わせとして、１２パターンが識別可能である。
【００５０】
具体的には、信号入出力ポートＰ３，Ｐ４に入力される信号が共にハイレベルの場合（即ち、テレコンバータ識別キー１２３が電気接点１３２ａ，１３２ｂと接続されていない場合）、信号入出力ポートＰ１，Ｐ２に入力される信号のハイレベルまたはローレベルの組み合わせによって、４パターンのテレコンバータ１２０（焦点距離の拡大率Ｅ１〜Ｅ４倍）が識別される。
また、これら信号入出力ポートＰ１，Ｐ２に入力される信号のハイレベルまたはローレベルの組み合わせが同様であるとき、信号入出力ポートＰ３，Ｐ４に入力される信号が共にローレベルの場合（即ち、テレコンバータ識別キー１２３が電気接点１３２ａ，１３２ｂと接続されている場合）、異なる４パターンのテレコンバータ１２０（焦点距離の拡大率Ｅ５〜Ｅ８）が識別される。
【００５１】
さらに、これら信号入出力ポートＰ１，Ｐ２に入力される信号のハイレベルまたはローレベルの組み合わせが同様であるとき、信号入出力ポートＰ３に入力される信号がローレベルで、信号入出力ポートＰ４に入力される信号がハイレベルの場合（即ち、テレコンバータ識別キー１２３が電気接点１３２ａと接続され電気接点１３２ｂと接続されていない場合）、異なる４パターンのテレコンバータ１２０（焦点距離の拡大率Ｅ９〜Ｅ１２）が識別される。
即ち、テレコンバータ識別キー１２３と識別キー穴１３２内の電気接点１３２ａ，１３２ｂとの接続の態様に応じて、信号入出力ポートＰ１，Ｐ２のみによって識別可能な数の３倍の種類のテレコンバータ１２０を識別することができる。
【００５２】
（動作）
次に、動作を説明する。
図１０〜１３は、カメラ本体１０に各種光学ユニットが装着された状態を示す図であり、図１０はカメラ本体１０にレンズ鏡筒１３０が直接装着された状態、図１１はカメラ本体１０にテレコンバータ識別キー１２３を備えていないテレコンバータ１２０を挟んでレンズ鏡筒１３０が装着された状態、図１２はカメラ本体１０に長い形状のテレコンバータ識別キー１２３を備えたテレコンバータ１２０を挟んでレンズ鏡筒１３０が装着された状態、図１３はカメラ本体１０に短い形状のテレコンバータ識別キー１２３を備えたテレコンバータ１２０を挟んでレンズ鏡筒１３０が装着された状態を示している。
【００５３】
図１０に示すように、カメラ本体１０にレンズ鏡筒１３０が直接装着される場合、カメラ本体１０の電気接点１２とレンズ鏡筒１３０の電気接点１３１ｃとが接続され、マイコン１３３の信号入出力ポートＰ１，Ｐ２にカメラ本体１０を識別する信号（共にローレベルの信号）が入力される。
一方、カメラ本体１０にはテレコンバータ識別キー１２３が備えられていないため、電気接点１３２ａ，１３２ｂはハイレベルのままとなる。
【００５４】
すると、レンズ鏡筒１３０のマイコン１３３は、ＲＯＭに記憶されているテレコンバータ識別テーブルを参照し、信号入出力ポートＰ１〜Ｐ４に入力される信号の電位の組み合わせ（Ｐ１，Ｐ２：ローレベル、Ｐ３，Ｐ４：ハイレベル）に対応するテレコンバータ１２０の種類（テレコンバータ１２０の装着がない場合の焦点距離の拡大率Ｅ１（＝１．０倍））を読み出す。
そして、マイコン１３３は、カメラ本体１０側のマイコン１３にテレコンバータ１２０が装着されていない場合の焦点距離の拡大率Ｅ１を示す信号を出力する。
この後、カメラ本体１０側のマイコン１３において、拡大率Ｅ１に対応するレンズ鏡筒１３０の制御信号が生成され、レンズ鏡筒１３０のマイコン１３３は、この制御信号を受けて、レンズ鏡筒１３０の制御を行う。
【００５５】
また、図１１に示すように、カメラ本体１０に、テレコンバータ識別キー１２３を備えていないテレコンバータ１２０を挟んでレンズ鏡筒１３０が装着される場合、カメラ本体１０の電気接点１２とテレコンバータ１２０の電気接点１２１ａとが接続され、テレコンバータ１２０の電気接点１２２ａとレンズ鏡筒１３０の電気接点１３１ｃとが接続される。
なお、テレコンバータ１２０はテレコンバータ識別キー１２３を備えていないため、テレコンバータ識別キー１２３とレンズ鏡筒１３０の識別キー穴１３２内の電気接点１３２ａ，１３２ｂとは接続されない。
これにより、マイコン１３３の信号入出力ポートＰ１〜Ｐ４にテレコンバータ２０を識別する信号（ハイレベルまたはローレベルの信号）が入力される。具体的には、信号入出力ポートＰ３，Ｐ４にはハイレベルの信号が入力され、信号入出力ポートＰ１，Ｐ２にはハイレベルまたはローレベルの信号が入力される。
【００５６】
すると、レンズ鏡筒１３０のマイコン１３３は、ＲＯＭに記憶されているテレコンバータ識別テーブルを参照し、信号入出力ポートＰ１〜Ｐ４に入力される信号の電位の組み合わせに対応するテレコンバータ１２０の種類（焦点距離の拡大率Ｅ２〜Ｅ４のいずれか）を読み出す。
そして、マイコン１３３は、カメラ本体１０側のマイコン１３に焦点距離の拡大率Ｅ２〜Ｅ４のいずれかを示す信号を出力する。
この後、カメラ本体１０側のマイコン１３において、拡大率Ｅ２〜Ｅ４のいずれかに対応するレンズ鏡筒１３０の制御信号が生成され、レンズ鏡筒１３０のマイコン１３３は、この制御信号を受けて、レンズ鏡筒１３０の制御を行う。
【００５７】
さらに、図１２に示すように、カメラ本体１０に、長い形状のテレコンバータ識別キー１２３を備えたテレコンバータ１２０を挟んでレンズ鏡筒１３０が装着される場合、カメラ本体１０の電気接点１２とテレコンバータ１２０の電気接点１２１ａとが接続され、テレコンバータ１２０の電気接点１２２ａとレンズ鏡筒１３０の電気接点１３１ｃとが接続される。
また、テレコンバータ１２０は長い形状のテレコンバータ識別キー１２３を備えているため、テレコンバータ識別キー１２３とレンズ鏡筒１３０の識別キー穴１３２内の電気接点１３２ａ，１３２ｂとが接続される。
【００５８】
これにより、マイコン１３３の信号入出力ポートＰ１〜Ｐ４にテレコンバータ１２０を識別する信号（ハイレベルまたはローレベルの信号）が入力される。具体的には、信号入出力ポートＰ３，Ｐ４にはローレベルの信号が入力され、信号入出力ポートＰ１，Ｐ２にはハイレベルまたはローレベルの信号が入力される。
すると、レンズ鏡筒１３０のマイコン１３３は、ＲＯＭに記憶されているテレコンバータ識別テーブルを参照し、信号入出力ポートＰ１〜Ｐ４に入力される信号の電位の組み合わせに対応するテレコンバータ１２０の種類（焦点距離の拡大率Ｅ５〜Ｅ８のいずれか）を読み出す。
そして、マイコン１３３は、カメラ本体１０側のマイコン１３に焦点距離の拡大率Ｅ５〜Ｅ８のいずれかを示す信号を出力する。
【００５９】
この後、カメラ本体１０側のマイコン１３において、拡大率Ｅ５〜Ｅ８のいずれかに対応するレンズ鏡筒１３０の制御信号が生成され、レンズ鏡筒１３０のマイコン１３３は、この制御信号を受けて、レンズ鏡筒１３０の制御を行う。
また、図１３に示すように、カメラ本体１０に、短い形状のテレコンバータ識別キー１２３を備えたテレコンバータ１２０を挟んでレンズ鏡筒１３０が装着される場合、カメラ本体１０の電気接点１２とテレコンバータ１２０の電気接点１２１ａとが接続され、テレコンバータ１２０の電気接点１２２ａとレンズ鏡筒１３０の電気接点１３１ｃとが接続される。
また、テレコンバータ１２０は短い形状のテレコンバータ識別キー１２３を備えているため、テレコンバータ識別キー１２３とレンズ鏡筒１３０の識別キー穴１３２内の電気接点１３２ａ，１３２ｂとが接続される。
【００６０】
これにより、マイコン１３３の信号入出力ポートＰ１〜Ｐ４にテレコンバータ１２０を識別する信号（ハイレベルまたはローレベルの信号）が入力される。具体的には、信号入出力ポートＰ３にはローレベルの信号が入力され、信号入出力ポートＰ４にはハイレベルの信号が入力され、信号入出力ポートＰ１，Ｐ２にはハイレベルまたはローレベルの信号が入力される。
すると、レンズ鏡筒１３０のマイコン１３３は、ＲＯＭに記憶されているテレコンバータ識別テーブルを参照し、信号入出力ポートＰ１〜Ｐ４に入力される信号の電位の組み合わせに対応するテレコンバータ１２０の種類（焦点距離の拡大率Ｅ９〜Ｅ１２のいずれか）を読み出す。
【００６１】
そして、マイコン１３３は、カメラ本体１０側のマイコン１３に焦点距離の拡大率Ｅ９〜Ｅ１２のいずれかを示す信号を出力する。
この後、カメラ本体１０側のマイコン１３において、拡大率Ｅ９〜Ｅ１２のいずれかに対応するレンズ鏡筒１３０の制御信号が生成され、レンズ鏡筒１３０のマイコン１３３は、この制御信号を受けて、レンズ鏡筒１３０の制御を行う。
【００６２】
以上のように、本実施形態における光学ユニット識別システム１を適用したカメラ２は、レンズ鏡筒１３０のマウント部１３１をカメラ本体１０のマウント部１１あるいはテレコンバータ１２０のマウント部１２２と対応する形状とされている。また、レンズ鏡筒１３０のマウント部１３１における電気接点１３１ｃと、カメラ本体１０のマウント部１１における電気接点１２あるいはテレコンバータ１２０のマウント部１２２における電気接点１２２ａとが接続される。さらに、テレコンバータ１２０のマウント部１２２にテレコンバータ識別キー１２３が備えられている場合、レンズ鏡筒１３０のマウント部１３１における電気接点１３２ａ，１３２ｂと、テレコンバータ１２０のマウント部１２２におけるテレコンバータ識別キー１２３とが接続される。具体的には、テレコンバータ１２０のマウント部１２２に長い形状のテレコンバータ識別キー１２３が備えられている場合、レンズ鏡筒１３０のマウント部１３１における電気接点１３２ａ，１３２ｂと、テレコンバータ１２０のマウント部１２２におけるテレコンバータ識別キー１２３とが接続される。また、テレコンバータ１２０のマウント部１２２に短い形状のテレコンバータ識別キー１２３が備えられている場合、レンズ鏡筒１３０のマウント部１３１における電気接点１３２ａと、テレコンバータ１２０のマウント部１２２におけるテレコンバータ識別キー１２３とが接続され、レンズ鏡筒１３０のマウント部１３１における電気接点１３２ｂと、テレコンバータ１２０のマウント部１２２におけるテレコンバータ識別キー１２３とが接続されない。
【００６３】
そして、レンズ鏡筒１３０のマイコン１３３は、電気接点１３１ｃ及び電気接点１３２ａ，１３２ｂを介して信号入出力ポートＰ１〜Ｐ４に入力される信号の電位の組み合わせを基に、テレコンバータ識別テーブルを参照し、レンズ鏡筒１３０に装着されているテレコンバータ１２０の種類（あるいはカメラ本体１０）を識別する。
そのため、レンズ鏡筒１３０の電気接点１３１ｃによるテレコンバータ１２０あるいはカメラ本体１０の識別可能数に対して、テレコンバータ識別キー１２３と電気接点１３２ａとの接続により、３倍の識別可能数に拡大することができる。
【００６４】
即ち、特定のマウント部の形状を有するレンズ鏡筒１３０に識別キー穴１３２及び電気接点１３２ａ，１３２ｂを備え、当該特定のマウント部に装着可能なテレコンバータ１２０のラインナップにテレコンバータ識別キー１２３を備える型式を追加することで、マウント部の形状及びマウント部に備えられる電気接点の構成を共通としながら、新たな種類のテレコンバータを追加することが可能となる。
したがって、光学ユニットにおいて、装着対象を制限しつつ、装着された光学ユニットを適確に識別可能とすることができる。
【００６５】
以上、本実施形態によると、以下の効果を有する。
（１）レンズ鏡筒１３０のマウント部１３１がテレコンバータ１２０のマウント部１２２と対応する形状とされている。また、レンズ鏡筒１３０のマウント部１３１における電気接点１３１ｃと、テレコンバータ１２０のマウント部１２２における電気接点１２２ａとが接続される。さらに、レンズ鏡筒１３０のマウント部１３１における電気接点１３２ａと、テレコンバータ１２０のマウント部１２２におけるテレコンバータ識別キー１２３とが接続される。このとき、テレコンバータ識別キー１２３の形状に応じて、接触する電気接点１３２ａが異なる状態となる。
そして、レンズ鏡筒１３０のマイコン１３３は、電気接点１３１ｃ及び電気接点１３２ａ，１３２ｂを介して信号入出力ポートＰ１〜Ｐ４に入力される信号の電位の組み合わせを基に、テレコンバータ識別テーブルを参照し、レンズ鏡筒１３０に装着されているテレコンバータ１２０の種類を識別する。
したがって、光学ユニットにおいて、装着対象を制限しつつ、装着された光学ユニットを適確に識別可能とできる。
【００６６】
（２）テレコンバータ１２０の種類に応じてテレコンバータ識別キー１２３の長さを異なるものとし、識別キー穴１３２の開口部から異なる距離の位置に電気接点１３２ａ，１３２ｂを設置している。
そのため、テレコンバータ識別キー１２３の長さを異ならせるだけの簡単な構造の違いによって、テレコンバータ１２０の種類を識別することが可能となる。
【００６７】
以上、説明した実施形態に限定されることなく、以下に示すような種々の変形が可能であり、それらも本発明の範囲内である。
（変形例１）
第２実施形態において、テレコンバータ１２０は、長い形状のテレコンバータ識別キー１２３及び短い形状のテレコンバータ識別キー１２３の２種類を備えるものとして説明した。
これに対し、テレコンバータ識別キー１２３の形状を、屈曲させた形状等、より複雑なものとすることができる。
図１４は、テレコンバータ識別キー１２３の形状及び電気接点の設置態様の具体例を示す図である。なお、図１４において、実線で示す電気接点はテレコンバータ識別キー１２３が接続した状態、破線で示す電気接点はテレコンバータ識別キー１２３が接続していない状態を示している。
【００６８】
図１４（ａ）に示すように、テレコンバータ識別キー１２３を鍵形（識別キー穴３２への進入方向と屈折する方向）とすることができ、先端部の長さを長いものと短いものとの２種類を用意すると共に、これらの形状を識別する位置に電気接点を設置することができる。
この場合、テレコンバータ識別キー１２３の形状を、鍵形の先端を有しないもの（例えば平板状）と先端部の長さが異なる２種類のものとの３種類とし、電気接点の設置位置として、これらを識別可能な３箇所とすることで、テレコンバータ１２０の識別可能数をより多くすることができる。
また、図１４（ｂ）に示すように、テレコンバータ識別キー１２３の一部を円弧状とし、テレコンバータ１２０の装着時に、設置されている電気接点を迂回する形状とすることで、テレコンバータ１２０の識別可能数をさらに拡大することができる。
【００６９】
例えば、第２実施形態における長い形状のテレコンバータ識別キー１２３と短い形状のテレコンバータ識別キー１２３に加え、一部が円弧状となっているテレコンバータ識別キー１２３を用意することで、電気接点１３２ａ，１３２ｂの２つの電極によって、さらに４種類のテレコンバータ１２０を識別することが可能となる。
【００７０】
（変形例２）
第１実施形態及び第２実施形態において、テレコンバータ識別キー２３，１２３と電気接点３２ａ，１３２ａ，１３２ｂが電気的に接続され、電気接点３２ａ，１３２ａ，１３２ｂの電位（電気的状態）が変化することにより、マイコン３３，１３３がテレコンバータ２０，１２０の種類を識別するものとして説明した。
これに対し、テレコンバータ識別キー２３，１２３に磁気を発生する磁気素子（永久磁石等）を設置し、電気接点３２ａ，１３２ａ，１３２ｂに代えて、磁気センサを設置して磁界の変化（磁気的状態）を検出することで、マイコン３３，１３３がテレコンバータ２０，１２０の種類を識別することができる。この場合、第１実施形態及び第２実施形態における電気接点３２ａ，１３２ａ，１３２ｂの位置は、磁気素子と磁気センサとの磁気的な接点となる。
【００７１】
図１５は、テレコンバータ識別キー２３，１２３と磁気センサとによって構成される磁気的な接点を示す模式図であり、図１５（ａ）は側面図、図１５（ｂ）は上面図である。
第１実施形態及び第２実施形態におけるテレコンバータ識別キー２３，１２３と電気接点３２ａ，１３２ａ，１３２ｂとの各種接続形態は、図１５に示す磁気的な接点の場合においても、同様に適用することができる。
このように、磁気的な接点を用いることによっても、上記各実施形態と同様の効果を奏するものとなる。
なお、上記各実施形態と上記変形例とは適宜組み合わせて実施することが可能である。
【符号の説明】
【００７２】
１：光学ユニット識別システム、２：カメラ（撮像装置）、１０：カメラ本体（光学ユニット）、２０：テレコンバータ（光学ユニット）、２２：マウント部、２２ａ：電気接点、２３：テレコンバータ識別キー（識別部材）、３０：レンズ鏡筒（光学ユニット）、３１：マウント部、３１ｃ：電気接点３１ｃ、３２：識別キー穴（識別部材受け入れ部）、３２ａ：電気接点、３３：マイコン（識別部）
【図１】
2014164155.tif 000003
【図２】
2014164155.tif 000004
【図３】
2014164155.tif 000005
【図４】
2014164155.tif 000006
【図５】
2014164155.tif 000007
【図６】
2014164155.tif 000008
【図７】
2014164155.tif 000009
【図８】
2014164155.tif 000010
【図９】
2014164155.tif 000011
【図１０】
2014164155.tif 000012
【図１１】
2014164155.tif 000013
【図１２】
2014164155.tif 000014
【図１３】
2014164155.tif 000015
【図１４】
2014164155.tif 000016
【図１５】
2014164155.tif 000017